(57)【要約】【課題】本発明は、室温調整装置の運転によるエネルギーの消費を小さくして省エネを図り得るトイレ室の温度制御システムの提供を目的とする。【解決手段】トイレ室１内に設置されたエアコンと、そのトイレ室１の後壁１２に設置された換気ファン５１を有する換気装置５と、制御装置とを備える。また、トイレ室１が設けられた建物１００内の廊下空間部１０１とトイレ室１とを区画した前壁１１に連通孔６が設けられている。制御装置は、廊下空間部１０１の廊下温度が設定温度とトイレ室１の室温との間にある場合、まず、換気装置５の換気ファン５１を運転させ、その後、エアコンを運転させる。【選択図】図２
2009257630.tif 000002
【特許請求の範囲】
【請求項１】
建物内に設けられたトイレ室の室温を調整する室温調整装置と、そのトイレ室を換気する換気装置と、それらの室温調整装置及び換気装置の運転を制御する制御装置とを備えたトイレ室の温度調整システムであって、
前記建物内におけるトイレ室とそのトイレ室以外の他の空間部とを区画した区画壁に、両者を連通するようにあけられた連通孔が設けられ、
前記換気装置は、その運転に際し、前記トイレ室の空気を建物外に出すとともに、その空気を建物外に出す際に前記他の空間部の空気を前記連通孔を介して前記トイレ室内に引き込み可能に構成され、
前記制御装置は、前記他の空間部の他空間温度が、トイレ室内の設定温度と前記室温との間にある場合に、前記換気装置を、前記他空間温度と室温とがほぼ同じになるまで運転させ、その後、前記室温調整装置を運転させるように構成されていることを特徴とするトイレ室の温度制御システム。
【請求項２】
前記連通孔は、前記トイレ室の床面近傍に配設され、
前記換気装置は、前記区画壁と対向する対向壁における天井近傍に配設されていることを特徴とする請求項１記載のトイレ室の温度制御システム。
【発明の詳細な説明】
【技術分野】
【０００１】
本発明は、トイレ室の温度を制御する温度制御システムに関するものである。
【背景技術】
【０００２】
従来から、トイレ室の温度を制御する装置が知られている。そのような装置として、例えばトイレ空調制御装置が提案されている（特許文献１参照）。このトイレ空調制御装置は、トイレ室内の空調装置を外気温条件等の情報を基に制御する。詳しくは、室内温度と室外制御器から送られるトイレ室外温度検知手段の温度との差が、設定された温度差より大きいとトイレ空調装置（室温調整装置）は暖房運転を行なう。温度差が設定値に達すると室温調整装置は暖房運転を停止する。このオンオフを繰り返し、トイレ室内温度はトイレ室外温度に対し設定された温度差以下に制御される。このようにして、トイレ内に入った時のヒートショックが少ない快適なトイレ空間を実現することができるようにしている。
【特許文献１】特開平０７−３１８１５１号公報
【発明の開示】
【発明が解決しようとする課題】
【０００３】
しかしながら、上記特許文献１に記載のものでは、外気温条件の情報を基に制御するが、外気を利用してトイレ室内の温度を上げまたは下げるというものではない。従って、例えば外気温が室温よりも高い場合でも室温調整装置の運転によって室温を所定の温度にまで上げる必要がある。よって、室温調整装置の運転によるエネルギーの消費が大きいという問題点がある。
【０００４】
本発明は、室温調整装置の運転によるエネルギーの消費を小さくして省エネを図り得るトイレ室の温度制御システムを提供することを目的とする。
【課題を解決するための手段】
【０００５】
前記課題を解決するために、本発明の請求項１は、建物内に設けられたトイレ室の室温を調整する室温調整装置と、そのトイレ室を換気する換気装置と、それらの室温調整装置及び換気装置の運転を制御する制御装置とを備えたトイレ室の温度調整システムであって、前記建物内におけるトイレ室とそのトイレ室以外の他の空間部とを区画した区画壁に、両者を連通するようにあけられた連通孔が設けられ、前記換気装置は、その運転に際し、前記トイレ室の空気を建物外に出すとともに、その空気を建物外に出す際に前記他の空間部の空気を前記連通孔を介して前記トイレ室内に引き込み可能に構成され、前記制御装置は、前記他の空間部の他空間温度が、トイレ室内の設定温度と前記室温との間にある場合に、前記換気装置を、前記他空間温度と室温とがほぼ同じになるまで運転させ、その後、前記室温調整装置を運転させるように構成されていることを特徴とするトイレ室の温度制御システムを提供する。
【０００６】
請求項２のように、前記連通孔は、前記トイレ室の床面近傍に配設され、前記換気装置は、前記区画壁と対向する対向壁における天井近傍に配設されていることが好ましい。
【発明の効果】
【０００７】
請求項１によれば、制御装置は、まず、換気装置によって、室温を、建物内におけるトトイレ室以外の他の空間部の温度である他空間温度と同じになるまで運転させ、その後に、室温調整装置を運転させるため、換気装置よりも電力消費の大きい室温調整装置を効率良く運転させることができる。従って、室温調整装置の運転によるエネルギー消費を小さくでき、省エネを図ることができる。
【０００８】
又、その換気装置の運転に際し、他の空間部の空気が他の温度調整装置によって温度調整されている場合には、その空気を取り入れることができる。従って、その場合は、トイレ室の室温調整装置によるエネルギー消費をより一層、小さくできる。
【０００９】
また、建物内の他の空間部の空気を連通孔を介してトイレ室に導入するため、他の空間部から空気をトイレ室に導入するための空気導入用の機器等を不要にでき、低コストなものにできる。
【００１０】
しかも、建物内の他の空間部の空気を連通孔を介してトイレ室に導入する際、換気装置は、トイレ室内の空気を建物外に出すため、臭いを排出できる。従って、トイレ室に適したものにできる。
【００１１】
請求項２によれば、連通孔は、トイレ室の床面近傍に配設され、換気装置は、区画壁と対向する対向壁における天井近傍に配設されている。
【００１２】
こうすることにより、建物内の他の空間部からトイレ室に入った空気が、換気装置に流れる際に、便器を使用している使用者に当たり易くなる。従って、換気装置の運転だけで、使用者は、冷気または暖気を受けることも可能となり、トイレ室を快適に使用できる。
【発明を実施するための最良の形態】
【００１３】
以下、本発明を実施するための最良の形態について、図面を参照しながら詳細に説明する。図１は、本発明のトイレ室の温度制御システムを施したトイレ室の概略図、図２は、その温度制御システムに用いられる換気装置を運転した際のトイレ室内の空気の流れの説明図である。また、図３は、その温度制御システムに用いられる温度調整装置としてのエアコンを説明するためのブロック図、図４は、その換気装置を説明するためのブロック図、図５は、その温度制御システムに用いられる制御装置を説明するためのブロック図である。
【００１４】
まず、本発明の温度制御システムを施したトイレ室から説明する。この実施形態のトイレ室１は、図１、図２に示すように、前壁１１、後壁１２、左壁１３及び図示しない右壁を備えている。前壁１１は、このトイレ室１が設けられた建物１００におけるトイレ室１以外の他の空間部としての廊下空間部１０１とそのトイレ室１とを区画した区画壁を構成している。
【００１５】
又、この前壁１１には、廊下空間部１０１とトイレ室１とを連通するようにあけられた連通孔６が設けられている。また、この実施形態では、連通孔６は、前壁１１の下端の一部をカットすることにより、トイレ室１の床面近傍に配設されている。一方、後壁１２は、この実施形態では、建物１００の外部とトイレ室１とを区画した区画壁を構成している。
【００１６】
次に、この実施形態のトイレ室の温度制御システムについて説明する。この温度制御システムは、図１に示すように、エアコン２と、換気装置５と、それらのエアコン２及び換気装置５夫々に制御信号を有線又は無線（この実施形態では、無線）によって送信することにより運転を制御する制御装置３とを備えている。
【００１７】
エアコン２は、トイレ室１の室温を調整するもので、暖房手段と冷房手段とを有するとともに、その暖房手段による暖房モードで運転する暖房運転と、冷房手段による冷房モードで運転する冷房運転とを切り替え可能とされている。
【００１８】
又、エアコン２は、トイレ室１内に設置された室内機２１を備えている。室内機２１は、側面上部に開口部２２を備えている。又、開口部２２には、送風ファン（図示せず）が設けられている。
【００１９】
そして、この実施形態の室内機２１は、トイレ室１に設けられた便器４と左壁１３との間に設置されている。これにより、室内機２１に発生させた暖気又は冷気を開口部２２から送風ファンによって温風又は冷風にして、用便に際して便器４に対して立位又は座位の用便姿勢の使用者に吹き付けることができるようになされている。
【００２０】
又、この実施形態のエアコン２は、図３に示すように、操作部２３を備えている。又、操作部２３は、暖房運転部２４と、冷房運転部２５と、エアコン運転停止部２６と、受信部２７とを備えている。
【００２１】
暖房運転部２４は、制御装置３から、エアコン２の暖房運転を開始させる制御信号である暖房運転開始信号を受信した場合にその暖房運転開始信号に基づいてエアコン２の暖房運転を開始する。
【００２２】
冷房運転部２５は、制御装置３から、エアコン２の冷房運転を開始させる制御信号である冷房運転開始信号を受信した場合にその冷房運転開始信号に基づいてエアコン２の冷房運転を開始する。
【００２３】
エアコン運転停止部２６は、制御装置３から、エアコン２の運転を停止させる制御信号であるエアコン運転停止信号を受信した場合にそのエアコン運転停止信号に基づいて、エアコン２の運転を停止する。
【００２４】
受信部２７は、例えば上記暖房運転開始信号、冷房運転開始信号、更には、エアコン運転停止信号を制御装置３から受信する。
【００２５】
又、エアコン２は、この実施形態では、図示しないが、記録装置であるメモリ、ＣＰＵ、表示装置である表示部、入力装置であるボタンキー、制御装置３と通信するための通信インターフェース等を備えている。
【００２６】
そして、上記ＣＰＵは、図３の暖房運転部２４、冷房運転部２５、エアコン運転停止部２６、受信部２７として機能する。
【００２７】
次に、換気装置５について説明する。換気装置５は、図１、図２に示すように回転可能な換気ファン５１を備えている。この換気ファン５１は、トイレ室１の後壁１２における天井近傍に設置されており、換気ファン５１の回転に伴って、トイレ室１の空気を建物１００の外部に排出（排気）する。
【００２８】
又、その排気に際して、建物１００の廊下空間部１０１の空気を連通孔６を通してトイレ室１内に引き込み、これにより、トイレ室１内を換気する。
【００２９】
又、換気装置５は、図４に示すように換気ファン操作部５２を備えている。又、換気ファン操作部５２は、換気ファン運転部５３と、換気ファン運転停止部５４と、受信部５５とを備えている。
【００３０】
換気ファン運転部５３は、制御装置３から、換気ファン５１を運転開始させる制御信号である換気ファン運転開始信号を受信した場合にその換気ファン運転開始信号に基づいて換気ファン５１の回転、即ち運転を開始する。
【００３１】
換気ファン運転停止部５３は、制御装置３から、換気ファン５１を運転停止させる制御信号である換気ファン運転停止信号を受信した場合にその換気ファン運転停止信号に基づいて換気ファン５１の運転を停止する。又、受信部５５は、例えば上記換気ファン運転開始信号や換気ファン運転停止信号を制御装置３から受信する。
【００３２】
又、換気装置５は、この実施形態では、図示しないが、記録装置であるメモリ、ＣＰＵ、表示装置である表示部、入力装置であるボタンキー、制御装置３と通信するための通信インターフェース等を備えている。
【００３３】
そして、上記ＣＰＵは、図４の換気ファン運転部５３、換気ファン運転停止部５４、受信部５５として機能する。
【００３４】
次に、制御装置３について説明する。制御装置３は、図５に示すように廊下温度中間判定部３１と、廊下温度室温同一判定部３２と、廊下温度高判定部３３と、室温高判定部３４と、室温設定温度同一判定部３５と、送信部３６とを備えている。
【００３５】
廊下温度中間判定部３１は、他空間温度としての廊下温度がトイレ室内の設定温度とトイレ室の室温との間にあるか否か（設定温度＜廊下温度＜室温、及び、設定温度＞廊下温度＞室温）を判定する。
【００３６】
又、この判定は、制御装置３が有する廊下温度検出手段及び室温検出手段による検出データと設定温度とに基づいて行われる。詳しくは、廊下温度検出手段は、廊下空間部１０１に設置されて上記廊下温度を検出する廊下温度検出センサ３０ｂ（図１に図示）から構成されており、廊下空間部１０１の温度である廊下温度を他空間温度として検出するようになっている。
【００３７】
又、室温検出手段は、トイレ室内に設置された室温検出センサ３０ａ（図１に図示）から構成されており、トイレ室の室温を検出するようになっている。
【００３８】
そして、制御装置３は、廊下温度検出センサ３０ｂにより検出された廊下温度データと、予め設定された設定温度及び室温検出センサ３０ａにより検出された室温データとを比較する。この設定温度は、この実施形態では、２６°Ｃとされている。ただし、設定温度は、特に限定されず、適宜変更できる。
【００３９】
そして、廊下温度がトイレ室内の設定温度とトイレ室の室温との間にある場合は廊下温度が設定温度と室温との中間にあるとの判定をする。換言すれば、廊下温度が、設定温度よりも高く、且つ、室温よりも低い場合、或いは、廊下温度が、設定温度よりも低く、且つ、室温よりも高い場合に、上記中間にあるとの判定をする。
【００４０】
一方、廊下温度が、設定温度と室温との間にない場合、即ち、廊下温度が、設定温度よりも高く、且つ、室温よりも低い場合、或いは、廊下温度が、設定温度よりも低く、且つ、室温よりも高い場合のいずれにも該当しない場合に、上記中間にないとの判定をする。
【００４１】
廊下温度室温同一判定部３２は、廊下温度と室温とが同一であるか否かを、上記廊下温度データと室温データとに基づいて判定をする。
【００４２】
詳しくは、廊下温度データと室温データとを比較して、廊下温度データと室温データとが同じである場合に、廊下温度と室温とが同一であるとの判定をし、廊下温度データと室温データとが同じでない場合は、同一でないとの判定をする。
【００４３】
廊下温度高判定部３３は、廊下温度が設定温度以上か否かを、上記廊下温度データと設定温度とに基づいて判定をする。詳しくは、廊下温度データと設定温度とを比較して、廊下温度データが設定温度以上の場合に、廊下温度が設定温度以上との判定をし、廊下温度データが設定温度以上でない場合に、廊下温度が設定温度以上でないとの判定をする。
【００４４】
室温高判定部３４は、室温が設定温度よりも高いか否かを、上記室温データと設定温度とに基づいて判定をする。詳しくは、室温データと設定温度とを比較して、室温データが設定温度よりも高い場合に、室温データが設定温度よりも高いとの判定をし、室温が設定温度よりも高くない場合に、室温が設定温度よりも高くないとの判定をする。
【００４５】
室温設定温度同一判定部３５は、室温と設定温度とが同一であるか否かを、上記室温データと設定温度とに基づいて判定をする。詳しくは、室温データと設定温度とを比較して、両者が同一の場合に、室温と設定温度とが同一であるとの判定をし、両者が同一でない場合に、室温と設定温度とが同一でないとの判定をする。
【００４６】
送信部３６は、例えば制御装置３により生成される上記暖房運転開始信号、冷房運転開始信号、エアコン運転停止信号をエアコン２に送信する。又、例えば制御装置３により生成される上記換気ファン運転開始信号や換気ファン運転停止信号を換気装置５に送信する。
【００４７】
又、制御装置３は、図示しないが、記録装置であるメモリ、ＣＰＵ、表示装置である表示部、入力装置であるボタンキー、エアコンと通信するための通信インターフェース等を備えている。
【００４８】
そして、上記ＣＰＵは、図５の廊下温度中間判定部３１、廊下温度室温同一判定部３２、廊下温度高判定部３３、室温高判定部３４、室温設定温度同一判定部３５、送信部３６として機能する。
【００４９】
次に、この実施形態のシステムの動作について、図６、図７を参照して説明する。まず、制御装置３は、室温設定温度同一判定部３５（図５参照）によって、室温と設定温度とが同一か否かを判定し（図６、ステップＳ１ａ）、同一であるとの判定した場合は、制御を戻し、室温と設定温度とに差が生じるのを待つ。
【００５０】
一方、同一でないとの判定した場合は、制御装置３は、廊下温度中間判定部３１（図５参照）によって、廊下温度がトイレ室内の設定温度とトイレ室の室温との間にあるか否かを判定する（図６、ステップＳ１）。
【００５１】
このステップＳ１において、廊下温度が上記間にある場合は、廊下温度が中間との判定をする。又、中間との判定をした場合、制御装置３は、換気ファン運転開始信号を生成し、換気装置５に送信する。尚、ステップＳ１において、廊下温度が中間でないとの判定をした場合は、後述する図７のステップＳ１１に移る。
【００５２】
換気ファン運転開始信号を受信した換気装置５（の操作部５２）は、換気ファン５１の運転を開始する（図６、ステップＳ２）。この換気ファン５１の運転の開始により、トイレ室１の空気は、建物１００の外部に排出される。
【００５３】
又、その排気に際して、図２に示すように、廊下空間部１０１の空気を連通孔６からトイレ室１内に引き込むことができる。これにより、廊下空間部１０１の空気を連通孔６から導入でき、トイレ室の室温を上げまたは下げることができる。又、連通孔を介してトイレ室に導入するため、空気導入用の機器を不要にでき、低コストなものにできる。しかも、トイレ室の臭いを排出できる。
【００５４】
また、その際、連通孔６は、トイレ室の床面近傍に配設され、換気ファン５１は、連通孔６を有する前壁１１と対向する後壁１２における天井近傍に配設されている。
【００５５】
これにより、廊下空間部１０１からトイレ室に入った空気が換気ファン５１に流れる際に、便器４を使用している使用者に当たり易くなる。従って、例えば換気ファン５１の運転だけでも使用者は、廊下空間部１０１から冷気または暖気を受けることも可能となり、トイレ室を快適に使用できる。
【００５６】
図６に戻って、説明を続けると、制御装置３は、その後、廊下温度室温同一判定部３２（図５参照）によって、廊下温度と室温とが同一になったか否かを判定する（図６、ステップＳ３）。
【００５７】
ステップＳ３において、廊下温度と室温とが同一でないとの判定をした場合は、制御を戻し、同一になるのを待つ。一方、ステップＳ３において、廊下温度と室温とが同一との判定をした場合、室温高判定部３４（図５参照）によって、室温が設定温度よりも高いか否かを判定する（図６、ステップＳ４）。
【００５８】
このステップＳ４において、室温が設定温度よりも高いとの判定をした場合、制御装置３は、換気ファン運転停止信号を生成し換気装置５に送信するとともに、冷房運転開始信号を生成しエアコン２に送信する。
【００５９】
換気ファン運転停止信号を受信した換気装置５は、換気ファンの運転を停止し、一方、冷房運転開始信号を受信したエアコン２（の操作部２３）は、冷房運転を開始する（図６、ステップＳ５）。
【００６０】
その後、制御装置３は、室温設定温度同一判定部３５（図５参照）によって、室温と設定温度とが同一であるか否かを判定する（図６、ステップＳ６）。このステップＳ６において、室温と設定温度とが同一でないとの判定をした場合は、制御を戻し、室温と設定温度とが同一になるのを待つ。
【００６１】
一方、ステップＳ６において、室温と設定温度とが同一であるとの判定をした場合、制御装置３は、エアコン運転停止信号を生成しエアコン２に送信する。それを受信したエアコン２は、冷房運転を停止する（図６、ステップＳ７）。
【００６２】
上記ステップＳ４において、室温が設定温度よりも高くないとの判定をした場合、制御装置３は、換気ファン運転停止信号を生成し換気装置５に送信するとともに、暖房運転開始信号を生成しエアコン２に送信する。
【００６３】
換気ファン運転停止信号を受信した換気装置５は、換気ファンの運転を停止し、一方、暖房運転開始信号を受信したエアコン２は、暖房運転を開始する（図６、ステップＳ８）。
【００６４】
その後は、上記ステップＳ６、Ｓ７と同様に、制御装置３は、室温設定温度同一判定部３５によって、室温と設定温度とが同一であるか否かを判定し（図６、ステップＳ９）、同一でないとの判定をした場合は、制御を戻す。
【００６５】
一方、ステップＳ９において、室温と設定温度とが同一であるとの判定をした場合、制御装置３は、エアコン運転停止信号を生成しエアコン２に送信する。それを受信したエアコン２は、暖房運転を停止する（図６、ステップＳ１０）。
【００６６】
上記ステップＳ１において、廊下温度が設定温度と室温との間にない場合、制御装置３は、廊下温度が中間でないとの判定をする。
【００６７】
そして、そのように判定した場合、制御装置３は、廊下温度高判定部３３（図５参照）によって、廊下温度が設定温度以上か否かを判定する（図７、ステップＳ１１）。このステップＳ１１において、廊下温度が設定温度以上でないとの判定をした場合、後述のステップＳ１７に移る。
【００６８】
一方、ステップＳ１１において、廊下温度が設定温度以上であるとの判定をした場合、制御装置３は、室温高判定部３４（図５参照）によって、室温が設定温度より高いか否かを判定する（図７、ステップＳ１２）。
【００６９】
そして、ステップＳ１２において、室温が設定温度以上でないとの判定をした場合、制御装置３は、冷房運転開始信号を生成し、それをエアコン２に送信する。受信したエアコン２は、冷房運転を開始する（図７、ステップＳ１３）。その後は、上述のステップＳ６に移る。
【００７０】
一方、ステップＳ１２において、室温が設定温度より高くないとの判定をした場合、制御装置３は、換気ファン運転開始信号を生成し、それを換気装置５に送信する。受信した換気装置５は、換気ファン５１の運転を開始する（図７、ステップＳ１４）。
【００７１】
その後、制御装置３は、室温設定温度同一判定部３５によって、室温と設定温度とが同一であるか否かを判定し（図７、ステップＳ１５）、同一でないとの判定をした場合は、制御を戻す。
【００７２】
一方、ステップＳ１５において、室温と設定温度とが同一であるとの判定をした場合、制御装置３は、換気ファン運転停止信号を生成しエアコン２に送信し、それを受信した換気装置５は、換気ファン５１の運転を停止する（図７、ステップＳ１６）。
【００７３】
上記ステップＳ１１において、廊下温度が設定温度より高くないとの判定をした場合、制御装置３は、室温高判定部３４によって、室温が設定温度より高いか否かを判定する（図７、ステップＳ１７）。
【００７４】
このステップＳ１７において、室温が設定温度より高いとの判定をした場合は、上述のステップＳ１４に移り、一方、室温が設定温度より高くないとの判定をした場合は、制御装置３は、暖房運転開始信号を生成し、エアコン２に送信する。
【００７５】
暖房運転開始信号を受信したエアコン２は、暖房運転を開始する（図７、ステップＳ１８）。その後は、上述のステップＳ９に移る。
【００７６】
尚、上記実施形態では、室温調整装置として、暖房手段と冷房手段とを有するエアコンから構成しているが、この形態のものに限らず、暖房手段を有する暖房装置又は冷房手段を有する冷房装置から構成するようにしても良い。
【００７７】
又、暖房装置として、例えばパネルヒータ、ＰＴＣヒータ又はオイルヒータを用いることができる。
【００７８】
また、上記実施形態では、換気装置５に、トイレ室１の空気を排出する換気ファン５１を備えたものとしているが、この形態のものに限らず、適宜変更できる。例えば換気装置５に吸気用の吸気ファンを備えたものとし、吸気ファンの回転運転よって、トイレ室１に外気を導入するようにしても良い。
【００７９】
また、連通孔６を設ける場合、前壁１１における床面近傍に配設する形態のものに限らず、例えば前壁１１における床面と天井との中央部に設けても良く、適宜変更できる。
【００８０】
又、上記実施形態では、暖房装置としてのエアコンと制御装置とを別途に設けているが、例えば制御装置を暖房装置に組み込んで付設した形態のものであっても良く、適宜変更できる。
【図面の簡単な説明】
【００８１】
【図１】本発明の一実施形態のトイレ室の温度制御システムを施したトイレ室の概略図である。
【図２】その温度制御システムに用いられる換気装置を運転した際のトイレ室内の空気の流れの説明図である。
【図３】その温度制御システムに用いられるエアコンを説明するためのブロック図である。
【図４】その換気装置を説明するためのブロック図である。
【図５】その温度制御システムに用いられる制御装置を説明するためのブロック図である。
【図６】本発明の一実施形態のトイレ室の温度制御システムの動作を説明するためのフローチャートの一部である。
【図７】そのフローチャートの他の一部である。
【符号の説明】
【００８２】
１    トイレ室
２    エアコン（室温調整装置）
３    制御装置
４    便器
５    換気装置
６    連通孔
５１    換気ファン
【図１】
2009257630.tif 000003
【図２】
2009257630.tif 000004
【図３】
2009257630.tif 000005
【図４】
2009257630.tif 000006
【図５】
2009257630.tif 000007
【図６】
2009257630.tif 000008
【図７】
2009257630.tif 000009